(57)【特許請求の範囲】
【請求項１】
現場へ指令を出す指令台と、
隊員が携帯する隊員携帯機と、
前記指令台と専用無線回線により通信すると共に、前記隊員携帯機と専用無線回線により通信する車両搭載ユニット
とを備え、
前記車両搭載ユニットは、
前記指令台と通信する指令側通信機と、
前記隊員携帯機と通信する隊員側通信機と、
前記指令台から専用無線回線により制御信号を受信して、当該制御信号が前記指令台と前記隊員携帯機とが通信することを指示する場合には、前記指令側通信機と前記隊員側通信機との間の信号を伝達する中継器とを備え、
前記制御信号が前記指令台と前記隊員携帯機とが通信しないことを指示する場合には、前記指令側通信機と前記指令台との間の通信、および前記隊員側通信機と前記隊員携帯機との間の通信がそれぞれ個別に行われる
通信システム。
【請求項２】
前記車両搭載ユニットは、
前記制御信号が前記指令台と前記隊員携帯機とが通信しないことを指示する場合には、前記指令台と前記隊員携帯機との間の信号を伝達しない
請求項１に記載した通信システム。
【請求項３】
前記車両搭載ユニットは、
信号を伝達するか否かの状態が手動で変更された場合には、前記伝達するか否かの状態を前記指令台に通知する
請求項１または２に記載した通信システム。
【請求項４】
前記指令台が複数の前記車両搭載ユニットから通信する前記車両搭載ユニットを選択する請求項１に記載した通信システム。
【請求項５】
指令側通信機が、現場へ指令を出す指令台と専用無線回線により通信すると共に、隊員側通信機が、隊員が携帯する隊員携帯機と専用無線回線により通信し、
中継器が、前記指令台から専用無線回線により制御信号を受信し、
当該制御信号が前記指令台と前記隊員携帯機とが通信することを指示する場合には、前記中継器は、前記指令側通信機と前記隊員側通信機との間の信号を伝達し、
前記制御信号が前記指令台と前記隊員携帯機とが通信しないことを指示する場合には、前記指令側通信機と前記指令台との間の通信、および前記隊員側通信機と前記隊員携帯機との間の通信がそれぞれ個別に行われる、
通信方法。
【請求項６】
現場へ指令を出す指令台と通信する指令側通信機および隊員が携帯する隊員携帯機と通信する隊員側通信機とそれぞれ通信し、
前記指令台から専用無線回線により制御信号を受信し、
当該制御信号が前記指令台と前記隊員携帯機とが通信することを指示する場合には、前記指令側通信機と前記隊員側通信機との間の信号を伝達し、
前記制御信号が前記指令台と前記隊員携帯機とが通信しないことを指示する場合には、前記指令側通信機と前記指令台との間の通信、および前記隊員側通信機と前記隊員携帯機との間の通信がそれぞれ個別に行われることを可能にする
中継器。
【請求項７】
コンピュータを、
現場へ指令を出す指令台と通信する指令側通信機および隊員が携帯する隊員携帯機と通信する隊員側通信機とそれぞれ通信する手段と、
前記指令台から専用無線回線により制御信号を受信する手段と、
当該制御信号が前記指令台と前記隊員携帯機とが通信することを指示する場合には、前記指令側通信機と前記隊員側通信機との間の信号を伝達する手段
として機能させ、
前記制御信号が前記指令台と前記隊員携帯機とが通信しないことを指示する場合には、前記指令側通信機と前記指令台との間の通信、および前記隊員側通信機と前記隊員携帯機との間の通信がそれぞれ個別に行われることを可能にする
ためのプログラム。
【発明の詳細な説明】
【技術分野】
【０００１】
本発明は、通信システム及び通信方法に関し、特に、緊急無線通信に関する。
【背景技術】
【０００２】
緊急無線通信等の通信システムに関する提案は、種々行われている。例えば、消防無線において指令台からの指令を災害現場に伝える場合、消防車に搭載された無線機に指令を送り、中継器を介して別の無線機で災害現場の無線機に伝える通信システムが提案されている。
【０００３】
引用文献１には、指令部と、この指令部からの通信内容を管理する管理装置と、基地局と、無線端末装置と、指令部からの情報を基地局と管理装置とに送信するための回線制御装置とを備えた無線通信システムが開示されている。そして、管理装置は、指令部より送信された情報の内容を記憶し、指令部若しくは無線端末装置からの要求に応じて、所定の情報を読み出し、出力している。
【先行技術文献】
【特許文献】
【０００４】
【特許文献１】特開２００７−９６７５９号公報
【発明の概要】
【発明が解決しようとする課題】
【０００５】
上述した引用文献１の通信システムにおいては、公衆回線を用いるため、災害などで基地局が故障したり、アクセスが集中したり等で公衆回線が使えない場合に遠隔の中継器を操作することができなくなるという問題がある。
【０００６】
本発明の目的は、公衆回線が使えない場合に遠隔の中継器を操作することができなくなるという課題を解決する通信システムを提供することにある。
【課題を解決するための手段】
【０００７】
本発明の通信システムは、現場へ指令を出す指令台と、隊員が携帯する隊員携帯機と、指令台と専用無線回線により通信すると共に、隊員携帯機と専用無線回線により通信し、かつ、指令台から専用無線回線により制御信号を受信して、当該制御信号が指令台と隊員携帯機とが通信することを指示する場合には、指令台と隊員携帯機との間の信号を伝達する車両搭載ユニットとを備える。
【発明の効果】
【０００８】
本発明によれば、公衆回線が使えない場合でも遠隔の中継器を操作することができる。
【図面の簡単な説明】
【０００９】
【図１】本発明の実施形態にかかる通信システムの構成を示すブロック図である。
【図２】本発明の実施形態にかかる通信システムの動作を説明するためのフローチャートである。
【図３】本発明の他の実施形態にかかる通信システムの構成を示すブロック図である。
【図４】本発明の他の実施形態に係る通信システムの制御シーケンス図である。
【図５】本発明の他の実施形態に係る通信システムの通知シーケンス図である。
【発明を実施するための形態】
【００１０】
以下に、図面を参照しながら、本発明の実施形態について詳細に説明する。なお、以下の説明では、同じ機能を有するものには同じ符号をつけ、その説明を省略する場合がある。
【００１１】
なお、この通信システムとして、消防署等に設置された指令局が消防自動車に搭載された通信機器や消防隊員が携帯する隊員携帯機と通信する場合を例に説明するが、かかる場合に限定するものではない。例えば、警察やタクシー会社等において用いられる通信システムに適用しても良い。
【００１２】
（構成）
図１は本発明の実施形態にかかる通信システムの構成を示すブロック図である。
【００１３】
本実施形態の通信システムは、指令台１０１と、車両搭載ユニット１０２と、隊員携帯機１０３とを有する。車両搭載ユニット１０２は、指令側通信機２０１と、隊員側通信機２０２と、中継器２０３とを有する。
【００１４】
指令台１０１は、消防署等に設置されて、車両搭載ユニット１０２と通信する。指令台１０１は現場へ指令を出す。指令とは音声による現場への指示である。指令の内容としては例えば、「はしご車が後５分で到着するからそれまで消化活動を優先し、はしご車が到着したら、人命救助に当たれ」、「現場の隣の建物に消火栓があるから使用しろとか」、「裏口から回って建物に入れ」等が考えられる。隊員携帯機１０３は、消防隊員が現場に携帯する通信機である。車両搭載ユニット１０２は消防自動車等の車両に搭載される。あるいは車両搭載ユニット１０２は救急車に搭載されても良い。
【００１５】
指令台１０１と指令側通信機２０１は周波数ｆＡの専用回線を使用して通信をする。隊員側通信機２０２と隊員携帯機１０３は周波数ｆＢの専用回線を使用して通信をする。指令台１０１と中継器２０３は周波数ｆＣの専用回線を使用して通信をする。中継器２０３は指令側通信機２０１と隊員側通信機２０２間の信号を有線で伝達する。中継器２０３は中継ＯＮと中継ＯＦＦの切り替えができる。中継ＯＮや中継ＯＦＦは信号を伝達するか否かの状態を意味する。中継器２０３は、中継ＯＮ時は信号を伝達し、中継ＯＦＦ時は信号を伝達しない。なお、指令側通信機２０１と隊員側通信機２０２との信号方式が異なる場合には、中継器２０３は、信号の伝達に加えて、信号方式の変換処理を併せて行うこともある。
【００１６】
また、指令台１０１は周波数ｆＣの専用回線を使用して遠隔の中継器２０３に信号を送り、中継ＯＮや中継ＯＦＦの制御を実施することができる。さらに指令台１０１は中継器２０３が中継ＯＮと中継ＯＦＦとのどちらの状態であるかの情報を取得することができる。
【００１７】
（作用）
図２は本発明の実施形態にかかる通信システムの動作を説明するためのフローチャートである。
【００１８】
指令台１０１は周波数ｆＣの専用回線を使用して遠隔の中継器２０３に中継ＯＦＦ設定の信号を送る。中継器２０３は中継ＯＦＦの信号を受け取ると中継ＯＦＦの状態となる（ステップＳ１）。指令台１０１と指令側通信機２０１は周波数ｆＡの専用回線で個別に通信を行える状態である。隊員側通信機２０２と隊員携帯機１０３は周波数ｆＢの専用回線で個別に通信を行える状態である。
【００１９】
指令台１０１からの指令を隊員携帯機１０３に伝達する場合、指令台１０１は周波数ｆＣの専用回線を使用して遠隔の中継器２０３に中継ＯＮ設定の信号を送る。中継器２０３は中継ＯＮ設定の信号を受け取ると（ステップＳ２ｙｅｓ）中継ＯＮの状態となる（ステップＳ３）。これにより指令台１０１と隊員携帯機１０３は通信ができる状態になる。つまり、指令台１０１からの指令を隊員携帯機１０３に伝達することができる。複数の隊員携帯機１０３がある場合、指令台１０１が指令を伝達する隊員携帯機１０３を選択することで必要な無線機のみに指令を伝えることができる。中継ＯＮ設定の信号を受け取るまでの間は（ステップＳ２ｎｏ）、中継器２０３は中継ＯＦＦの状態を維持する。
【００２０】
指令の伝達が終わったら指令台１０１は周波数ｆＣの専用回線を使用して遠隔の中継器２０３に中継ＯＦＦ設定の信号を送る。中継器２０３は中継ＯＦＦ設定の信号を受け取ると（ステップＳ４ｙｅｓ）中継ＯＦＦの状態となる（ステップＳ４）。これにより指令台１０１と隊員携帯機１０３は通信ができない状態になる。中継ＯＦＦ設定の信号を受け取るまでの間は（ステップＳ４ｎｏ）、中継器２０３は中継ＯＮの状態を維持する。
【００２１】
ここで、指令台１０１が送る中継ＯＮ設定の信号および中継ＯＦＦ設定の信号は中継器２０３を制御するための制御信号（データ）であり、指令台１０１と隊員携帯機１０３が通信を行う時に送る信号は音声であってもよい。
【００２２】
（効果）
本実施形態によれば、公衆回線が使えない場合でも遠隔の中継器を操作することができる。また、指令台から遠隔の中継器を制御することで、現地で中継器を手動で操作する人員を減らすことができる。また、指令台から遠隔の中継器を制御することで、中継器を手動で操作する場合よりも制御にかかる時間を減らすことができる。指令台から中継ＯＮと中継ＯＦＦとのどちらの状態であるか確認することができ、指令の伝達漏れがなくなる。複数の車両搭載ユニットがある場合、指令を伝達する車両搭載ユニットを選択することで必要な車両搭載ユニットのみに指令を伝えることができる。
【００２３】
また、本実施形態ではＡＶＭＳ（Ａｕｔｏｍａｔｉｃ  Ｖｅｈｉｃｌｅ  Ｍｏｎｉｔｏｒｉｎｇ  Ｓｙｓｔｅｍ）端末を接続する必要がない。
【００２４】
（その他の実施形態）
（構成）
図３は本発明の他の実施形態にかかる通信システムの構成を示すブロック図である。
【００２５】
他の実施形態の構成では指令台１０１から指令側通信機２０１と通信を行う周波数ｆＡの専用回線を使用して指令側通信機２０１を経由し、中継器２０３の制御を行う。他の実施形態の構成では中継器２０３に無線回路を搭載する必要がない。このため回路構成を単純にすることができる。その他の構成は図１の構成と同様である。
【００２６】
（作用）
図４は本発明の他の実施形態に係る通信システムの制御シーケンス図である。
【００２７】
中継器２０３を中継ＯＮの状態にする場合、指令台１０１は周波数ｆＡの専用回線を使用して指令側通信機２０１に中継ＯＮ設定の信号を送る。指令側通信機２０１は中継器２０３に中継器ＯＮ設定の信号を伝達する。これにより中継器２０３は中継ＯＮの状態となる。中継器２０３は中継ＯＮの状態となった後、指令側通信機２０１に中継ＯＮ通知の信号を送る。指令側通信機２０１は周波数ｆＡの専用回線を使用して指令台１０１に中継ＯＮ通知の信号を伝達する。これにより指令台１０１は中継器２０３が中継ＯＮの状態であることを認識する。
【００２８】
中継器２０３を中継ＯＦＦの状態にする場合、指令台１０１は周波数ｆＡの専用回線を使用して指令側通信機２０１に中継ＯＦＦ設定の信号を送る。指令側通信機２０１は中継器２０３に中継器ＯＮ設定の信号を伝達する。これにより中継器２０３は中継ＯＦＦの状態となる。中継器２０３は中継ＯＦＦの状態となった後、指令側通信機２０１に中継ＯＦＦ通知の信号を送る。指令側通信機２０１は周波数ｆＡの専用回線を使用して指令台１０１に中継ＯＮ通知の信号を伝達する。これにより指令台１０１は中継器２０３が中継ＯＦＦの状態であることを認識する。
【００２９】
ここで、指令台１０１が送る中継ＯＮ設定の信号および中継ＯＦＦ設定の信号は中継器２０３を制御するための制御信号（データ）であり、指令台１０１と隊員携帯機１０３が通信を行う時に送る信号は音声であってもよい。
【００３０】
図５は本発明の他の実施形態に係る通信システムの通知シーケンス図である。
【００３１】
中継器２０３は現地で手動にて中継ＯＮや中継ＯＦＦの状態を変更できる。中継器２０３が手動で中継ＯＮに設定された場合、中継器２０３は指令側通信機２０１に中継ＯＮ通知を行う。指令側通信機２０１は周波数ｆＡの専用回線を使用して指令台１０１に中継ＯＮに通知を伝達する。中継器２０３が手動で中継ＯＦＦに設定された場合、中継器２０３は指令側通信機２０１に中継ＯＦＦ通知を行う。指令側通信機２０１は周波数ｆＡの専用回線を使用して指令台１０１に中継ＯＦＦに通知を伝達する。
【００３２】
（効果）
本実施形態によれば、公衆回線が使えない場合でも遠隔の中継器を操作することができる。また、中継器２０３に無線回路を搭載する必要がない。
【００３３】
本発明は上記実施形態に限定されることなく、特許請求の範囲に記載の発明の範囲内で、種々の変形が可能であり、それらも本発明の範囲内に含まれるものであることはいうまでもない。
【符号の説明】
【００３４】
１０１    指令台
１０２    車両搭載ユニット
１０３    隊員携帯機
２０１    指令側通信機
２０２    隊員側通信機
２０３    中継器
【図１】
0006561531.tif 000002
【図２】
0006561531.tif 000003
【図３】
0006561531.tif 000004
【図４】
0006561531.tif 000005
【図５】
0006561531.tif 000006